(57)【要約】      （修正有）【課題】多岐に亘る記録媒体の仕様や、それぞれの記録媒体に対応する印刷の仕様に対応し、最適な条件で印刷することができる記録装置を提供する。【解決手段】搬送装置は、ロール紙を搬送方向に搬送する搬送部と、ロール紙の搬送路において、ロール紙の一方の面に当接して支持する支持位置の、面の法線方向における互いの相対位置が可変な複数の当接部材１２２を有する支持部１２０と、搬送部および支持部を制御する制御部と、を備え、制御部は、ロール紙の属性情報に基づいて、複数の当接部材の相対位置を設定する制御を行う。【選択図】図３
2020138419.tif 000002
【特許請求の範囲】
【請求項１】
記録媒体を搬送方向に搬送する搬送部と、
前記記録媒体の搬送路において、前記記録媒体の一方の面に当接して支持する支持位置の、前記面の法線方向における互いの相対位置が可変な複数の当接部材を有する支持部と、
前記搬送部および前記支持部を制御する制御部と、を備え、
前記制御部は、前記記録媒体の属性情報に基づいて、前記複数の当接部材の前記相対位置を設定する制御を行う、ことを特徴とする記録媒体搬送装置。
【請求項２】
前記複数の当接部材を構成する各前記当接部材は、前記搬送方向と交差する方向に沿って列設されることを特徴とする請求項１に記載の記録媒体搬送装置。
【請求項３】
前記制御部が制御する前記相対位置の設定または変更が可能な入力部を備えることを特徴とする請求項１または請求項２に記載の記録媒体搬送装置。
【請求項４】
前記複数の当接部材は、前記面に当接し前記搬送方向に延在するリブ部材であることを特徴とする請求項１から請求項３のいずれか一項に記載の記録媒体搬送装置。
【請求項５】
前記リブ部材の前記搬送方向の上流側の端部は、前記搬送方向の下流側から上流側に向かうにつれて前記法線方向の高さが低くなる傾斜面を有することを特徴とする請求項４に記載の記録媒体搬送装置。
【請求項６】
請求項１から請求項５のいずれか一項に記載の記録媒体搬送装置と、
前記記録媒体に記録する記録部と、を備えることを特徴とする記録装置。
【請求項７】
前記複数の当接部材は、前記搬送路において、前記記録部が記録を行う記録領域の少なくとも一部が含まれる領域に設けられていることを特徴とする請求項６に記載の記録装置。
【請求項８】
前記複数の当接部材は、前記搬送路において、前記記録部が記録を行う記録領域の少なくとも一部が含まれる領域および前記記録領域より上流の領域に設けられていることを特徴とする請求項６に記載の記録装置。
【請求項９】
請求項１から請求項５のいずれか一項に記載の記録媒体搬送装置と、
前記記録媒体に記録する記録部と、を備える記録装置であって、
前記複数の当接部材を構成する各前記当接部材は、前記搬送方向と交差する方向において複数列として列設され、
前記制御部は、前記複数の当接部材の前記相対位置を、互いの前記相対位置の差が、前記搬送方向の上流側から下流側に向かう方向において、前記記録部が記録を行う記録領域に近づくにつれて大きくなるように制御する、ことを特徴とする記録装置。
【請求項１０】
記録媒体を搬送方向に搬送する搬送部と、前記記録媒体の搬送路において前記記録媒体の一方の面に当接して支持する支持位置の、前記面の法線方向における互いの相対位置が可変な複数の当接部材を有する支持部と、前記記録媒体に記録する記録部と、を備える記録装置における記録方法であって、
前記記録媒体の属性情報に基づいて、前記複数の当接部材の前記相対位置を設定する制御を行うことを特徴とする記録方法。
【発明の詳細な説明】
【技術分野】
【０００１】
本発明は、記録媒体搬送装置、該記録媒体搬送装置を備える記録装置、および記録方法に関する。
【背景技術】
【０００２】
特許文献１には、印刷領域において、副走査方向に延びるリブが主走査方向に所定の間隔をもって複数配設され、該リブによって被記録材を下から支持するように構成されたプラテン、および該プラテンを備えたインクジェット記録装置が記載されている。このプラテンは、複数のリブのうち少なくとも一部が、第１のリブと、該第１のリブよりも高さの低い第２のリブと、が交互に配置されてなり、第１のリブと第２のリブとによってインク滴が吐出された被記録材先端部分に波打ち状態を形成することを特徴としている。
このプラテンによれば、インク滴を吸収した被記録材は、高さの低い第２のリブに落ち込み、これにより、被記録材には、２つの第１のリブと、当該２つの第１のリブの間に配置された、高さの低い第２のリブとによって波打ち状態が形成される。これによって被記録材先端が上方に反り返り、プラテン面からの浮き上がることが防止できる。その結果、媒体がプラテン面からの浮き上がることによる印刷不良の発生を抑制できる。
【０００３】
また、特許文献２には、印刷領域において、媒体を支持する複数の突出部の間に、突出部よりも低く配置される第１状態と、あるいは第１状態であるときよりも高く配置される第２状態とに変位可能な可動部材を備えた印刷装置が記載されている。
この印刷装置によれば、インクによって媒体が膨潤するなどしてコックリングが生じ易い条件で印刷を行う場合には、可動部材を第１状態に変位させることで、可動部材が媒体を支持できないようにしたり、突出部よりも低い位置で媒体を支持できるようにしたりすることができる。このため、印刷が行われることで膨張した媒体が、隣り合う突出部の間の空間に落ち込むようにすることができ、膨張した媒体が支持部材から浮き上がることで印刷部に接触することを抑制できる。その結果、媒体のコックリングに伴う印刷不良の発生を抑制できる。
【先行技術文献】
【特許文献】
【０００４】
【特許文献１】特開２００３−２９１４３０号公報
【特許文献２】特開２０１７−１７０７１８号公報
【発明の概要】
【発明が解決しようとする課題】
【０００５】
しかしながら、近年、使用される媒体の種類が多岐に亘り、特許文献１に記載のプラテンを備えた記録装置や、特許文献２に記載の印刷装置では、媒体の仕様やそれに対応する印刷の仕様によって、浮き上がりの程度やコックリングの程度が大きく異なってくるため、各種媒体に最適な条件で印刷することができないという課題が生じ得た。
【課題を解決するための手段】
【０００６】
本願の記録媒体搬送装置は、記録媒体を搬送方向に搬送する搬送部と、前記記録媒体の搬送路において、前記記録媒体の一方の面に当接して支持する支持位置の、前記面の法線方向における互いの相対位置が可変な複数の当接部材を有する支持部と、前記搬送部および前記支持部を制御する制御部と、を備え、前記制御部は、前記記録媒体の属性情報に基づいて、前記複数の当接部材の前記相対位置を設定する制御を行う、ことを特徴とする。
【０００７】
上記の記録媒体搬送装置において、前記複数の当接部材を構成する各前記当接部材は、前記搬送方向と交差する方向に沿って列設されることが好ましい。
【０００８】
上記の記録媒体搬送装置において、前記制御部が制御する前記相対位置の設定または変更が可能な入力部を備えることが好ましい。
【０００９】
上記の記録媒体搬送装置において、前記複数の当接部材は、前記面に当接し前記搬送方向に延在するリブ部材であることが好ましい。
【００１０】
上記の記録媒体搬送装置において、前記リブ部材の前記搬送方向の上流側の端部は、前記搬送方向の下流側から上流側に向かうにつれて前記法線方向の高さが低くなる傾斜面を有することが好ましい。
【００１１】
本願の記録装置は、上記の記録媒体搬送装置と、前記記録媒体に記録する記録部と、を備えることを特徴とする。
【００１２】
上記の記録装置において、前記複数の当接部材は、前記搬送路において、前記記録部が記録を行う記録領域の少なくとも一部が含まれる領域に設けられていることが好ましい。
【００１３】
上記の記録装置において、前記複数の当接部材は、前記搬送路において、前記記録部が記録を行う記録領域の少なくとも一部が含まれる領域および前記記録領域より上流の領域に設けられていることが好ましい。
【００１４】
本願の記録装置は、上記の記録媒体搬送装置と、前記記録媒体に記録する記録部と、を備える記録装置であって、前記複数の当接部材を構成する各前記当接部材は、前記搬送方向と交差する方向において複数列として列設され、前記制御部は、前記複数の当接部材の前記相対位置を、互いの前記相対位置の差が、前記搬送方向の上流側から下流側に向かう方向において、前記記録部が記録を行う記録領域に近づくにつれて大きくなるように制御することを特徴とする。
【００１５】
本願の記録方法は、記録媒体を搬送方向に搬送する搬送部と、前記記録媒体の搬送路において前記記録媒体の一方の面に当接して支持する支持位置の、前記面の法線方向における互いの相対位置が可変な複数の当接部材を有する支持部と、前記記録媒体に記録する記録部と、を備える記録装置における記録方法であって、前記記録媒体の属性情報に基づいて、前記複数の当接部材の前記相対位置を設定する制御を行うことを特徴とする。
【図面の簡単な説明】
【００１６】
【図１】実施形態１に係る記録装置を模式的に示す正面図である。
【図２】支持部の要部を示す斜視図である。
【図３】支持部の構成を示す概念図である。
【図４】本実施形態における実施例１を示す概念図である。
【図５】本実施形態における実施例２を示す概念図である。
【図６】本実施形態における実施例３を示す概念図である。
【図７】変形例１に係る支持部の要部を示す概念図である。
【図８】変形例３に係る支持部の構成を示す概念図である。
【図９】変形例３に係る支持部の構成を示す概念図である。
【図１０】変形例４に係る支持部の構成を示す概念図である。
【図１１】変形例５に係る支持部の要部を示す斜視図である。
【図１２】変形例６に係る支持部の要部を示す概念図である。
【発明を実施するための形態】
【００１７】
以下に本願の発明を具体化した実施形態について、図面を参照して説明する。以下は、本発明の一実施形態であって、本発明を限定するものではない。なお、以下の各図においては、説明を分かりやすくするため、実際とは異なる尺度で記載している場合がある。また、図面に付記する座標においては、Ｚ軸方向が上下方向、＋Ｚ方向が上方向、Ｘ軸方向が前後方向、−Ｘ方向が前方向、Ｙ軸方向が左右方向、＋Ｙ方向が左方向、Ｘ−Ｙ平面が水平面としている。
【００１８】
（実施形態１）
図１は、実施形態１に係る記録装置としてのインクジェットプリンター１を模式的に示す正面図である。
インクジェットプリンター１は、インクを吐出することで、ロール状に巻かれた状態で供給されるロール紙２に画像を記録するインクジェット式プリンターである。インクジェットプリンター１は、ロール紙２を搬送する記録媒体搬送装置としての搬送装置１００と、搬送されるロール紙２の表面にインクを吐出して記録を行う記録部２００、搬送装置１００と記録部２００とを統括的に制御する統括制御部３００などから構成される。
【００１９】
搬送装置１００は、インクジェットプリンター１において、セットしたロール紙２を記録部２００における記録領域に搬送し、記録されたロール紙２を巻き取って収容する装置であり、搬送部１１０、支持部１２０、供給部１３０、収納部１４０、制御部１５０などを備えている。
記録部２００は、搬送装置１００によって供給されるロール紙２にインクを吐出して記録を行う部分であり、インク吐出ヘッド２１０、インク供給部２２０、記録制御部２５０などを備えている。
統括制御部３００は、演算素子としてのＣＰＵ、外部電子機器とのインターフェイス、ＣＰＵが動作するプログラムや記録する画像データなどを記憶する記憶媒体、入力部としてのタッチパネル３１０などを備えている。また、統括制御部３００は、統括制御部３００における機能部として、搬送装置１００の各駆動部を駆動する駆動回路の制御を行う制御部１５０、および、記録部２００の各駆動部を駆動する駆動回路の制御を行う記録制御部２５０を備えている。ここで、機能部とは、統括制御部３００で動作するソフトウェア、あるいはファームウェアで駆動回路を制御し、所定の機能を発揮するように構成する部分である。なお、上述したＣＰＵ、インターフェイス、記憶媒体、駆動回路については、図示を省略している。
【００２０】
搬送部１１０は、供給部１３０から供給されるロール紙２を、記録部２００の記録領域において搬送方向に搬送し、収納部１４０に送り出す搬送ローラー１１１を備えている。
搬送ローラー１１１は、制御部１５０の制御の下に、画像の形成に伴って駆動される駆動モーターにより回転してロール紙２を搬送する。駆動モーターについては、図示を省略している。
支持部１２０は、ロール紙２の搬送路における記録部２００の記録領域およびその前後においてロール紙２を支持するプラテン１２１などを含む支持機構である。支持部１２０の詳細については後述する。
【００２１】
供給部１３０は、記録前のロール紙２を収容し、送り出す部分であり、ロール紙２の搬送路において記録部２００の上流側に位置し、ロール紙２を装填する繰り出しリール１３１などを備えている。繰り出しリール１３１は、繰り出しモーターにより回転して、ロール紙２を供給部１３０の下流側に配置される記録部２００に向けて送り出す。繰り出しモーターについては、図示を省略している。
【００２２】
収納部１４０は、記録後のロール紙２を巻き取り収納する部分であり、ロール紙２の搬送路において記録部２００の下流側に位置し、ロール紙２を巻き取る巻き取りリール１４１などを備えている。巻き取りリール１４１は、巻き取りモーターにより回転して、収納部１４０の上流側に配置される記録部２００を経て送られてきたロール紙２を巻き取る。巻き取りモーターについては、図示を省略している。
制御部１５０は、統括制御部３００において、搬送部１１０および支持部１２０のそれぞれを駆動する駆動回路を制御する。
【００２３】
インク吐出ヘッド２１０は、記録領域において、ロール紙２に対向するように設けられ、ロール紙２の表面にインクを吐出する複数のノズルを備えている。インク吐出ヘッド２１０は、吐出するインクの色毎に分けて設けられている。吐出するインクの色としては、例えば、イエロー、マゼンタ、シアン、ブラックなどを用いる。なお、インク吐出ヘッド２１０は、ロール紙２の幅方向に亘って固定して配列されたラインヘッドを構成するもの、あるいは、可動のキャリッジに搭載され、ロール紙２の幅方向に移動しながらインクを吐出するシリアルヘッドを構成するもの、のいずれであっても良い。
【００２４】
インク供給部２２０は、インク吐出ヘッド２１０のそれぞれに、吐出するインクを供給する機構であり、インクを貯留する貯留タンク、貯留タンクからインク吐出ヘッド２１０までのインク供給路、インク供給路においてインクを送るポンプなどから構成されている。これら貯留タンク、インク供給路、ポンプなどの構成要素は、供給する液体の種類毎に独立して設けられている。なお、これらの図示は省略している。
【００２５】
記録制御部２５０は、統括制御部３００において、記録する画像情報に基づきインク吐出ヘッド２１０、インク供給部２２０のそれぞれを駆動する駆動回路を制御する。
タッチパネル３１０は、インクジェットプリンター１に対するヒューマンインターフェイスとして情報入出力手段であり、統括制御部３００に対して種々の指示を入力したり、統括制御部３００からの応答を表示したりすることができる。
【００２６】
なお、記録媒体として、ロール紙２を例に説明しているが、単票式の記録媒体であっても良い。単票式の記録媒体を対象とする場合には、供給部は、記録媒体を記録部２００へ１枚ずつ供給するためのセパレーターを含む供給機構を備える。また、収納部は、記録後に記録部２００から排出される記録媒体を収納する収納トレーなどを備える。
【００２７】
図２は、支持部１２０の要部を示す斜視図である。また、図３は、支持部１２０の構成を示す概念図である。
支持部１２０は、プラテン１２１、当接部材１２２、支持位置昇降機構１２３などから構成されている。
【００２８】
プラテン１２１は、ロール紙２の搬送路における記録部２００の記録領域Ｒおよびその前後においてロール紙２を略水平に支持するための平板であり、インク吐出ヘッド２１０の下面に対して対向するように設けられている。また、プラテン１２１には、プラテン１２１の上面から＋Ｚ方向に当接部材１２２を突出可能とする複数の穴１２４が設けられている。
ここで、記録領域Ｒは、図３に示すように、インク吐出ヘッド２１０が有するノズル２１１が、インクを吐出してロール紙２にドットを形成することができる領域である。
【００２９】
当接部材１２２は、記録領域Ｒにおいて、ロール紙２の一方の面としての下面に当接してロール紙２を支持する部材であり、ロール紙２が搬送される方向と交差するＸ軸方向に複数列設されている。当接部材１２２は、プラテン１２１の上面から＋Ｚ方向に突出することで、ロール紙２の下面に当接可能となる。
【００３０】
本実施形態では、図２に示すように、当接部材１２２は、Ｙ軸方向、つまり、ロール紙２の搬送方向に延在するリブ部材で構成されている。また、このリブ部材の−Ｙ方向の端部、つまり、ロール紙２の搬送方向の上流側の端部は、−Ｙ方向に向かうにつれて、つまり、ロール紙２の搬送方向の下流側から上流側に向かうにつれて、Ｚ軸方向の高さ、つまり、ロール紙２が記録領域Ｒにおいて延在する面の法線方向の高さが低くなる傾斜面１２２Ｓを有している。
【００３１】
支持位置昇降機構１２３は、個々の当接部材１２２を、プラテン１２１の上面から＋Ｚ方向に突出させること、およびプラテン１２１の上面と面一にすること、あるいはプラテン１２１の上面から−Ｚ方向に収納することを可能とする昇降機構である。支持位置昇降機構１２３は、個々の当接部材１２２毎に、個々の当接部材１２２を独立して昇降可能に設けられている。
【００３２】
本実施形態では、図３に示すように、支持位置昇降機構１２３は、当接部材１２２を下方向から支持し昇降する支持棒１２５、支持棒１２５に対して設けられ、支持棒１２５をＺ軸方向に昇降可能とするウォームギア機構１２６、ウォームギア機構１２６を駆動する駆動モーター１２７などから構成されている。
当接部材１２２毎に設けられる駆動モーター１２７は、制御部１５０によって駆動制御され、当接部材１２２がロール紙２の下面に当接して支持する支持位置を個々に設定することができる。ここで、当接部材１２２がロール紙２の下面に当接して支持する支持位置とは、Ｚ軸方向における位置であり、ロール紙２が記録領域Ｒにおいて延在する面の法線方向における位置である。
【００３３】
また、制御部１５０は、ロール紙２の属性情報に基づいて個々の当接部材１２２の支持位置を設定する。つまり、制御部１５０は、ロール紙２の属性情報に基づいて、複数の当接部材１２２のＺ軸方向における相対位置を設定する制御を行う。
ここで、ロール紙２の属性情報とは、ロール紙２の種類を特定することができる情報であり、例えば、ロール紙２の製品名や製品型番である。また、ロール紙２の属性情報は、例えば、材質名やロール紙２を構成する仕様などの情報であっても良い。
【００３４】
制御部１５０が、ロール紙２の属性情報に基づいて設定する個々の当接部材１２２の支持位置の情報、具体的には、支持高さの情報は、インクジェットプリンター１が記録対象として想定するロール紙２の種類毎に予め充分な評価を行い、ロール紙２の種類毎の最適な支持位置の情報として作成し、統括制御部３００が有する記憶媒体に記憶させておく。
支持位置の情報は、ロール紙２の種類毎に定められる当接部材１２２の個々の高さ情報である。当接部材１２２の個々の高さ情報は、例えば、プラテン１２１から突出させる実際の高さの値であっても良いし、その度合いを示す多値の整数値であっても良い。また、０、１の２値であっても良い。
当接部材１２２の個々の高さ情報が、プラテン１２１から突出させる実際の高さの値の場合、制御部１５０は、当接部材１２２がその高さだけ突出するように支持位置昇降機構１２３を制御する。
当接部材１２２の個々の高さ情報が、その度合いを示す多値の整数値の場合、予め整数値に対応して定められた高さだけ当接部材１２２が突出するように支持位置昇降機構１２３を制御する。
当接部材１２２の個々の高さ情報が、０、１の２値の場合、例えば、０の場合には、当接部材１２２がプラテン１２１の上面と面一になるように支持位置昇降機構１２３を制御し、１の場合には、予め定められた所定量だけ当接部材１２２が突出するように支持位置昇降機構１２３を制御する。
【００３５】
すなわち、搬送装置１００は、ロール紙２を搬送方向に搬送する搬送部１１０と、ロール紙２の搬送路において、ロール紙２の一方の面に当接して支持する支持位置の、ロール紙２の一方の面の法線方向における互いの相対位置が可変な複数の当接部材１２２を有する支持部１２０と、搬送部１１０および支持部１２０を制御する制御部１５０と、を備え、制御部１５０は、ロール紙２の属性情報に基づいて、複数の当接部材１２２の相対位置を設定する制御を行う。
【００３６】
また、本実施形態における記録方法としては、ロール紙２を搬送方向に搬送する搬送部１１０と、ロール紙２の搬送路においてロール紙２の一方の面に当接して支持する支持位置の、面の法線方向における互いの相対位置が可変な複数の当接部材１２２を有する支持部１２０と、ロール紙２に記録する記録部２００と、を備える記録装置としてのインクジェットプリンター１における記録方法であって、ロール紙２の属性情報に基づいて、複数の当接部材１２２の相対位置を設定する制御を行うことを特徴としている。
【００３７】
なお、支持位置昇降機構１２３を駆動する機構は、本実施形態のように、駆動モーター１２７によって昇降駆動されるウォームギア機構１２６に限定するものではない。例えば、超音波モーター駆動、油圧駆動、圧空駆動などにより駆動される昇降機構であっても良い。
【００３８】
（実施例１）
図４は、本実施形態における実施例１を示す概念図である。図４は、ロール紙２の搬送路の上流側から下流方向に向かって、つまり＋Ｙ方向に向かって支持部１２０の記録領域Ｒを透視した図であり、当接部材１２２と当接部材１２２に支持されるロール紙２の様子を概念的に示している。
実施例１では、Ｘ軸方向に列設された当接部材１２２の内、奇数番目の当接部材１２２をプラテン１２１と面一の高さｈ０の位置とし、偶数番目の当接部材１２２をプラテン１２１から高さｈ２だけ突出させてロール紙２を支持する位置としている。この状態は、ロール紙２の属性情報に基づいて複数の当接部材１２２の相対位置を設定する制御が行われた結果としての１つの状態である。ここでｈ０＝０、ｈ０＜ｈ２である。
例えば、記録に伴い付与されたインクによって膨潤したロール紙２は、偶数番目の当接部材１２２に支持され高くなった位置に対して、その狭間の領域においては、プラテン１２１の方向に沈み込むように波打つ形状となる。その結果、ロール紙２の膨潤による盛り上がりや浮き上がりが抑制される。
【００３９】
（実施例２）
図５は、本実施形態における実施例２を示す概念図である。
実施例２は、実施例１に対して、ｈ２の高さで支持する位置の間隔を倍の長さとし、プラテン１２１と面一の高さｈ０の位置と、プラテン１２１から高さｈ２だけ突出させてロール紙２を支持する位置との間に、高さｈ１だけ突出させてロール紙２を支持する位置を設けた場合の例である。ここでｈ０＜ｈ１＜ｈ２である。
例えば、実施例１の場合と比較して、ロール紙２の膨潤の度合いが小さなロール紙２に対しては、ロール紙２が波打つ数を半分にすることで、膨潤による影響を、必要充分な範囲で吸収するようにすることが可能となる。
【００４０】
（実施例３）
図６は、本実施形態における実施例３を示す概念図である。
実施例３は、ロール紙２の幅方向の両端領域、つまりロール紙２のＸ軸方向の両端領域を下方向に撓ませる制御を行った例である。具体的には、ロール紙２の幅方向の両端の当接部材１２２をプラテン１２１と面一の高さｈ０の位置とし、ロール紙２の幅方向の両端から内側に２番目の当接部材１２２をプラテン１２１から高さｈ３だけ突出させ、その他の当接部材１２２をプラテン１２１から高さｈ４突出させている。ここで、ｈ０＝０、ｈ０＜ｈ３＜ｈ４である。
プラテン１２１の上面において、このようにロール紙２を支持し撓ませることで、ロール紙２を上方に反り難いようにすることができる。
【００４１】
以上述べたように、本実施形態に係る記録媒体搬送装置、記録装置、記録方法によれば、以下の効果を得ることができる。
【００４２】
本実施形態によれば、制御部１５０は、ロール紙２の属性情報に基づいて、複数の当接部材１２２の相対位置を設定する制御を行う。そのため、ロール紙２の仕様や、それに対応させた記録仕様に適した支持の仕方によってロール紙２を支持して印刷を行うことができる。具体的には、例えば、記録によって膨潤するロール紙２の膨潤の度合いに合わせてロール紙２が支持部１２０から必要以上に浮かないように、また必要充分な程度に波打つ状態にして支持することが可能となる。その結果、浮き上がりやコックリングに伴う印刷不良の発生を、最適に、あるいは、より適切に抑制することができる。
【００４３】
また、支持部１２０が有する複数の当接部材１２２を構成する各当接部材１２２は、ロール紙２の搬送方向と交差する方向に沿って列設されるため、搬送方向と交差する方向におけるロール紙２の複数の支持位置を制御することができる。その結果、例えば、搬送方向と交差するロール紙２の幅方向におけるロール紙２の膨潤の影響を低減することができる。
【００４４】
また、支持部１２０が有する複数の当接部材１２２は、ロール紙２の一方の面に当接し搬送方向に延在するリブ部材である。そのため、ロール紙２を、波打ち形状の天部と底部が搬送方向に延在するような形状として支持することができる。その結果、例えば、ロール紙２が記録によって膨潤した場合において、搬送方向と交差するロール紙２の幅方向におけるロール紙２の膨潤の影響を低減することができる。また、例えば、複数の点で当接して支持する場合などと比較して、より効果的に浮き上がりを抑制することができる。
【００４５】
また、ロール紙２を支持する面に当接する当接部材１２２であるリブ部材の搬送方向の上流側の端部は、搬送方向の下流側から上流側に向かうにつれて、ロール紙２を支持する面の法線方向の高さが低くなる傾斜面１２２Ｓを有している。そのため、当接部材１２２の上流側から搬送されてくるロール紙２の先端が当接部材１２２の上流側の端部に引っ掛かる度合いが軽減され、よりスムーズに搬送される。
【００４６】
また、記録装置としてのインクジェットプリンター１は、搬送装置１００と、ロール紙２に記録する記録部２００と、を備えている。そのため、ロール紙２の浮き上がりやコックリングに伴う印刷不良の発生が、最適に、あるいは、より適切に抑制された印刷を行うことができる。
【００４７】
また、本実施形態の記録方法によれば、ロール紙２の属性情報に基づいて、複数の当接部材１２２の相対位置を設定する制御を行う。そのため、ロール紙２の仕様や、それに対応させた記録仕様に適した支持の仕方によってロール紙２を支持して印刷を行うことができる。具体的には、例えば、記録によって膨潤するロール紙２の膨潤の度合いに合わせてロール紙２が支持部１２０から必要以上に浮かないように、また必要充分な程度に波打つ状態にして支持することが可能となる。その結果、浮き上がりやコックリングに伴う印刷不良の発生を、最適に、あるいは、より適切に抑制することができる。
【００４８】
なお、本願の発明は上述した実施形態に限定されず、上述した実施形態に種々の変更や改良などを加えることが可能である。変形例を以下に述べる。なお、実施形態１と同一の構成部位については、同一の番号を附し、重複する説明は省略する。
【００４９】
（変形例１）
図７は、変形例１に係る支持部１２０Ａの要部を示す概念図である。
実施形態１では、図２、または図３に示すように、当接部材１２２がＸ軸方向に１列だけ列設されている例で説明した。しかし、当接部材１２２が列設される列数は、１列に限定するものではなく、複数列、列設される構成であっても良い。
本変形例の支持部１２０Ａは、プラテン１２１Ａ、当接部材１２２Ａ、支持位置昇降機構１２３などから構成されている。例えば、図７に示す例では、支持部１２０Ａは、Ｘ軸方向に８列、列設された当接部材１２２Ａを備えている。なお、図７では、支持位置昇降機構１２３の図示を省略している。
【００５０】
当接部材１２２Ａのそれぞれは、当接部材１２２と同様に、当接部材１２２ＡをＺ軸方向に昇降可能とする支持位置昇降機構１２３を有している。また、当接部材１２２Ａは、Ｙ軸方向に延在し、Ｙ軸方向の長さが、実施形態１における当接部材１２２の６分の１から７分の１程度の長さのリブ部材で構成されている。また、当接部材１２２Ａの−Ｙ方向の端部は、−Ｙ方向に向かうにつれてＺ軸方向の高さが低くなる傾斜面１２２ＡＳを有している。
【００５１】
本変形例における実施例としては、図７に示すように、記録領域Ｒにおいて当接部材１２２Ａを高さｈだけ突出させる場合に、記録領域Ｒより上流側の当接部材１２２Ａの高さは、下流側から上流側に向かうに従って徐々に低くなるように設定する。また、記録領域Ｒにおいて突出させる当接部材１２２Ａの高さや位置は、ロール紙２の属性情報に基づいて、より適切な記録が行えるように、例えば、図４〜図６を参照して説明した実施例１〜実施例３と同じように設定する。
すなわち、制御部１５０は、複数の当接部材１２２Ａの相対位置を、互いの相対位置の差が、搬送方向の上流側から下流側に向かう方向において、記録部２００が記録を行う記録領域Ｒに近づくにつれて大きくなるように制御する。
【００５２】
本変形例に係る記録装置によれば、上述のように制御することで、搬送路において、ロール紙２が記録領域Ｒに達する前から、徐々に記録領域Ｒにおける所望の形状に近付ける制御をすることができる。その結果、搬送路においてロール紙２に大きなストレスを与えることなく、ロール紙２の形状制御を行うようにすることができる。
【００５３】
なお、本変形例の構成において、図６に示す実施例のように当接部材１２２Ａの高さを制御し、ロール紙２を図６に示す形状に撓ませることにより、ロール紙２の上方への反りを抑制することができる。そのため、例えば、記録領域Ｒに搬送されるロール紙２の先端が、プラテン１２１から浮き上がってインク吐出ヘッド２１０に接触することを防ぐ目的で活用することもできる。このような目的の場合には、記録領域Ｒより上流の領域において、当接部材１２２の高さを図６に示すような高さ制御にすることで、その効果が得られる。換言すると、このように、記録領域Ｒに搬送する前にロール紙２の形状を制御する目的で用いる場合には、当接部材１２２は、記録領域Ｒより上流の領域に設けられていれば良い。
【００５４】
（変形例２）
実施形態１では、制御部１５０が、ロール紙２の属性情報に基づいて設定する個々の当接部材１２２の支持位置の情報、つまり支持高さの情報は、インクジェットプリンター１が記録対象として想定するロール紙２の種類毎に予め充分な評価を行い、ロール紙２の種類毎の最適な支持位置の情報として作成し、統括制御部３００が有する記憶媒体に記憶させておくと説明した。この予め設定した個々の当接部材１２２の支持位置の情報は、ユーザーが変更できるように構成しても良い。あるいは、インクジェットプリンター１が記録対象として想定するロール紙２の種類以外のロール紙２を使用する場合、つまり、使用するロール紙２に対応する当接部材１２２の支持位置の情報が無い場合に、ユーザーが評価を行いながら当接部材１２２の支持位置の情報を設定できるようにしても良い。
【００５５】
本変形例の記録装置としてのインクジェットプリンター１は、入力部としてのタッチパネル３１０を介して、予め設定した個々の当接部材１２２の支持位置の情報を変更することができる。また、記録対象とするロール紙２の属性情報に対応する当接部材１２２の支持位置の情報が無い場合には、タッチパネル３１０を介して、個々の当接部材１２２の支持位置の情報を入力し設定することができる。
すなわち、本変形例の記録装置としてのインクジェットプリンター１は、制御部１５０が制御する相対位置の設定または変更が可能な入力部を備えている。
【００５６】
本変形例に係る記録装置によれば、例えば、予め設定されている相対位置の設定に対する補正を行うことができる。また、例えば、使用するロール紙２の属性情報に対応した情報として、制御部１５０が当接部材１２２の相対位置を設定する情報が得られない場合には、入力部を介して適切な情報を入力することができる。
【００５７】
（変形例３）
図８、図９は、変形例３に係る支持部１２０の構成を示す概念図である。
実施形態１の説明では、図３において、リブ部材で構成される当接部材１２２が、記録部２００が記録を行う記録領域Ｒの全体に亘って延在するように示しているが、必ずしも記録領域Ｒの全体に亘って当接部材１２２が延在するように構成する必要は無い。つまり、当接部材１２２は、搬送路において、記録部２００が記録を行う記録領域Ｒの少なくとも一部が含まれる領域に設けられていれば良い。
【００５８】
例えば、図８に示すように、当接部材１２２は、記録領域Ｒの上流側の一部が含まれる領域から記録領域Ｒより上流の領域に亘るように設けられても良い。
また、例えば、図９に示すように、当接部材１２２は、記録領域Ｒの中の一部の領域に延在するように設けられていても良い。
【００５９】
当接部材１２２が、ロール紙２の搬送路において、記録領域Ｒの少なくとも一部が含まれる領域に設けられていることにより、また、制御部１５０が、ロール紙２の属性情報に基づいて、複数の当接部材１２２の相対位置を設定する制御を行うことにより、記録によって膨潤するロール紙２の膨潤の度合いに合わせてロール紙２が支持部１２０から必要以上に浮かないように、また必要充分な程度に波打つ状態にして支持することが可能となる。その結果、浮き上がりやコックリングに伴う印刷不良の発生を抑制することができる。
また、当接部材１２２を記録領域Ｒの上流側の一部が含まれる領域から記録領域Ｒの上流の領域に亘るように設けた場合には、ロール紙２が記録領域Ｒに達する前からロール紙２の形状を制御することができる。その結果、例えば、ロール紙２が浮き上がり難い形状にして記録領域Ｒに搬送することができる。
【００６０】
（変形例４）
図１０は、変形例４に係る支持部１２０Ｂの構成を示す概念図である。
実施形態１では、図４〜図６に示すように、プラテン１２１から突出する当接部材１２２が、直接ロール紙２の下面に当接する例を説明したが、図１０に示すように、当接部材１２２とロール紙２との間に、ロール紙２の下面を支持する可撓性のシート１２８を設けても良い。
具体的には、本変形例の支持部１２０Ｂは、プラテン１２１の上面に可撓性のシート１２８を設けて構成されたプラテン１２１Ｂを備えている。プラテン１２１から突出した当接部材１２２は、シート１２８の下面を押し上げ、シート１２８が変形し、変形したシート１２８がロール紙２を支持する。
【００６１】
本変形例によれば、例えば、ロール紙２が薄く剛性の低い材料で構成されている場合であっても、当接部材１２２の突出による局部的な変形を抑制することができる。シート１２８の変形に沿わせてロール紙２を変形させることで、ロール紙２の仕様によらず適切な形状の制御を行うことができる。また、シート１２８が窪んだ領域に、記録によって膨潤したロール紙２を沿わせることで、ロール紙２の盛り上がりや浮き上がりを抑制することができる。
【００６２】
（変形例５）
図１１は、変形例５に係る支持部１２０Ｃの要部を示す斜視図である。
実施形態１では、図２、または図３に示すように、当接部材１２２は、Ｙ軸方向、つまり、ロール紙２の搬送方向に延在するリブ部材で構成されていると説明したが、当接部材は、このようなリブ部材に限定するものではない。例えば、球体であっても良い。
【００６３】
本変形例の支持部１２０Ｃは、プラテン１２１Ｃ、当接部材１２２Ｃ、支持位置昇降機構１２３Ｃなどから構成されている。
当接部材１２２Ｃは、当接部材１２２Ｃの下部を収容する支持部に回転可能に支持される球体である。
プラテン１２１Ｃには、プラテン１２１Ｃの上面から＋Ｚ方向に当接部材１２２Ｃを突出可能とする複数の穴１２４Ｃが設けられている。
支持位置昇降機構１２３Ｃは、個々の当接部材１２２Ｃ毎に、個々の当接部材１２２Ｃの下部を収容する支持部を独立して昇降可能に設けられている。
なお、当接部材１２２Ｃの下部を収容する支持部は、図示を省略している。
【００６４】
本変形例の支持部１２０Ｃであっても、ロール紙２の仕様や、それに対応させた記録仕様に適した支持の仕方によってロール紙２を支持して印刷を行うことができる。具体的には、例えば、記録によって膨潤するロール紙２の膨潤の度合いに合わせてロール紙２が支持部１２０Ｃから必要以上に浮かないように、また必要充分な程度に波打つ状態にして支持することが可能となる。その結果、浮き上がりやコックリングに伴う印刷不良の発生を、最適に、あるいは、より適切に抑制することができる。
また、ロール紙２に当接する当接部材１２２Ｃが回転可能であるため、記録領域Ｒにおいて、よりスムーズにロール紙２を搬送することができる。
【００６５】
（変形例６）
図１２は、変形例６に係る支持部１２０Ｄの要部を示す概念図である。
実施形態１では、支持位置昇降機構１２３により、当接部材１２２をＺ軸方向に昇降させると説明したが、当接部材１２２自体が回動することによりプラテン１２１から突出するように構成しても良い。
本変形例の支持部１２０Ｃは、プラテン１２１、当接部材１２２Ｄ、支持位置昇降機構１２３Ｄなどから構成されている。なお、図１２では、支持位置昇降機構１２３Ｄの図示を省略している。
当接部材１２２Ｄは、Ｙ軸方向、つまり、ロール紙２の搬送方向に延在するリブ部材で構成されている。また、このリブ部材の−Ｙ方向の端部、つまり、ロール紙２の搬送方向の上流側の端部に、当接部材１２２ＤをＹ−Ｚ面内で回動可能に支持する軸１２９を有している。
支持位置昇降機構１２３Ｄは、軸１２９を軸として当接部材１２２Ｄを回動させることで、プラテン１２１から当接部材１２２Ｄを突出させることができる。
本変形例の支持部１２０Ｄであっても、ロール紙２の仕様や、それに対応させた記録仕様に適した支持の仕方によってロール紙２を支持して印刷を行うことができる。具体的には、例えば、記録によって膨潤するロール紙２の膨潤の度合いに合わせてロール紙２が支持部１２０Ｄから必要以上に浮かないように、また必要充分な程度に波打つ状態にして支持することが可能となる。その結果、浮き上がりやコックリングに伴う印刷不良の発生を、最適に、あるいは、より適切に抑制することができる。
【００６６】
以下に、上述した実施形態および変形例から導き出される内容を記載する。
【００６７】
本願の記録媒体搬送装置は、記録媒体を搬送方向に搬送する搬送部と、前記記録媒体の搬送路において、前記記録媒体の一方の面に当接して支持する支持位置の、前記面の法線方向における互いの相対位置が可変な複数の当接部材を有する支持部と、前記搬送部および前記支持部を制御する制御部と、を備え、前記制御部は、前記記録媒体の属性情報に基づいて、前記複数の当接部材の前記相対位置を設定する制御を行う、ことを特徴とする。
【００６８】
本実施形態の記録媒体搬送装置は、記録媒体を搬送方向に搬送する搬送部と、記録媒体の搬送路において、記録媒体の一方の面に当接して支持する支持位置の、前記面の法線方向における互いの相対位置が可変な複数の当接部材を有する支持部と、搬送部および支持部を制御する制御部とを備えている。また、この構成によれば、制御部は、記録媒体の属性情報に基づいて、複数の当接部材の相対位置を設定する制御を行う。そのため、記録媒体の仕様や、それに対応させた記録仕様に適した支持の仕方によって記録媒体を支持して印刷を行うことができる。具体的には、例えば、記録によって膨潤する記録媒体の膨潤の度合いに合わせて記録媒体が支持部から必要以上に浮かないように、また必要充分な程度に波打つ状態にして支持することが可能となる。その結果、浮き上がりやコックリングに伴う印刷不良の発生を、最適に、あるいは、より適切に抑制することができる。
【００６９】
上記の記録媒体搬送装置において、前記複数の当接部材を構成する各前記当接部材は、前記搬送方向と交差する方向に沿って列設されることが好ましい。
【００７０】
この構成によれば、支持部が有する複数の当接部材を構成する各当接部材は、搬送方向と交差する方向に沿って列設されるため、搬送方向と交差する方向における記録媒体の複数の支持位置を制御することができる。その結果、例えば、搬送方向と交差する記録媒体の幅方向における記録媒体の膨潤の影響を低減することができる。
【００７１】
上記の記録媒体搬送装置において、前記制御部が制御する前記相対位置の設定または変更が可能な入力部を備えることが好ましい。
【００７２】
この構成によれば、記録媒体搬送装置は、制御部が制御する相対位置の設定または変更が可能な入力部を備える。そのため、例えば、予め設定されている相対位置の設定に対する補正を行うことができる。また、例えば、使用する記録媒体の属性情報に対応した情報として、制御部が当接部材の相対位置を設定する情報が得られない場合には、入力部を介して適切な情報を入力することができる。
【００７３】
上記の記録媒体搬送装置において、前記複数の当接部材は、前記面に当接し前記搬送方向に延在するリブ部材であることが好ましい。
【００７４】
この構成によれば、支持部が有する複数の当接部材は、記録媒体の一方の面に当接し搬送方向に延在するリブ部材である。そのため、記録媒体を、波打ち形状の天部と底部が搬送方向に延在するような形状として支持することができる。その結果、例えば、記録媒体が記録によって膨潤した場合において、搬送方向と交差する記録媒体の幅方向における記録媒体の膨潤の影響を低減することができる。また、例えば、複数の点で当接して支持する場合などと比較して、より効果的に浮き上がりを抑制することができる。
【００７５】
上記の記録媒体搬送装置において、前記リブ部材の前記搬送方向の上流側の端部は、前記搬送方向の下流側から上流側に向かうにつれて前記法線方向の高さが低くなる傾斜面を有することが好ましい。
【００７６】
この構成によれば、記録媒体を支持する面に当接するリブ部材の搬送方向の上流側の端部は、搬送方向の下流側から上流側に向かうにつれて、記録媒体を支持する面の法線方向の高さが低くなる傾斜面を有している。そのため、リブ部材の上流側から搬送されてくる記録媒体の先端がリブ部材の上流側の端部に引っ掛かる度合いが軽減され、よりスムーズに搬送される。
【００７７】
本願の記録装置は、上記の記録媒体搬送装置と、前記記録媒体に記録する記録部と、を備えることを特徴とする。
【００７８】
この構成によれば、記録装置は、上述した記録媒体搬送装置と、記録媒体に記録する記録部と、を備えている。そのため、記録媒体の浮き上がりやコックリングに伴う印刷不良の発生が抑制された印刷を行うことができる。
【００７９】
上記の記録装置において、前記複数の当接部材は、前記搬送路において、前記記録部が記録を行う記録領域の少なくとも一部が含まれる領域に設けられていることが好ましい。
【００８０】
この構成によれば、記録媒体を支持する面の法線方向における支持位置の相対位置が可変な複数の当接部材が、記録媒体の搬送路において、記録部が記録を行う記録領域の少なくとも一部が含まれる領域に設けられている。また、制御部は、記録媒体の属性情報に基づいて、複数の当接部材の相対位置を設定する制御を行う。そのため、記録によって膨潤する記録媒体の膨潤の度合いに合わせて記録媒体が支持部から必要以上に浮かないように、また必要充分な程度に波打つ状態にして支持することが可能となる。その結果、浮き上がりやコックリングに伴う印刷不良の発生を抑制することができる。
【００８１】
上記の記録装置において、前記複数の当接部材は、前記搬送路において、前記記録部が記録を行う記録領域の少なくとも一部が含まれる領域および前記記録領域より上流の領域に設けられていることが好ましい。
【００８２】
この構成によれば、記録媒体を支持する面の法線方向における支持位置の相対位置が可変な複数の当接部材が、記録媒体の搬送路において、記録部が記録を行う記録領域の少なくとも一部が含まれる領域およびその上流の領域に設けられている。また、制御部は、記録媒体の属性情報に基づいて、複数の当接部材の相対位置を設定する制御を行う。そのため、搬送路において、記録媒体が記録領域に達する前から記録媒体の形状を制御することができる。その結果、例えば、記録媒体が浮き上がり難い形状にして記録領域に搬送することができる。
【００８３】
本願の記録装置は、上記の記録媒体搬送装置と、前記記録媒体に記録する記録部と、を備える記録装置であって、前記複数の当接部材を構成する各前記当接部材は、前記搬送方向と交差する方向において複数列として列設され、前記制御部は、前記複数の当接部材の前記相対位置を、互いの前記相対位置の差が、前記搬送方向の上流側から下流側に向かう方向において、前記記録部が記録を行う記録領域に近づくにつれて大きくなるように制御することを特徴とする。
【００８４】
この構成によれば、記録装置は、上述した記録媒体搬送装置と、記録媒体に記録する記録部と、を備えている。また、支持部が有する複数の当接部材を構成する各当接部材は、搬送方向と交差する方向において複数列として列設され、制御部は、複数の当接部材の相対位置を、互いの相対位置の差が、搬送方向の上流側から下流側に向かう方向において、記録部が記録を行う記録領域に近づくにつれて大きくなるように制御する。そのため、搬送路において、記録媒体が記録領域に達する前から、徐々に記録領域における所望の形状に近付ける制御をすることができる。その結果、搬送路において記録媒体に大きなストレスを与えることなく、記録媒体の形状制御を行うようにすることができる。
【００８５】
本願の記録方法は、記録媒体を搬送方向に搬送する搬送部と、前記記録媒体の搬送路において前記記録媒体の一方の面に当接して支持する支持位置の、前記面の法線方向における互いの相対位置が可変な複数の当接部材を有する支持部と、前記記録媒体に記録する記録部と、を備える記録装置における記録方法であって、前記記録媒体の属性情報に基づいて、前記複数の当接部材の前記相対位置を設定する制御を行うことを特徴とする。
【００８６】
本実施形態の記録方法は、記録媒体を搬送方向に搬送する搬送部と、記録媒体の搬送路において記録媒体の一方の面に当接して支持する支持位置の、前記面の法線方向における互いの相対位置が可変な複数の当接部材を有する支持部と、記録媒体に記録する記録部と、を備える記録装置における記録方法である。また、本実施形態によれば、記録媒体の属性情報に基づいて、複数の当接部材の相対位置を設定する制御を行う。そのため、記録媒体の仕様や、それに対応させた記録仕様に適した支持の仕方によって記録媒体を支持して印刷を行うことができる。具体的には、例えば、記録によって膨潤する記録媒体の膨潤の度合いに合わせて記録媒体が支持部から必要以上に浮かないように、また必要充分な程度に波打つ状態にして支持することが可能となる。その結果、浮き上がりやコックリングに伴う印刷不良の発生を抑制することができる。
【符号の説明】
【００８７】
１…インクジェットプリンター、２…ロール紙、１００…搬送装置、１１０…搬送部、１１１…搬送ローラー、１２０…支持部、１２１…プラテン、１２２…当接部材、１２２Ｓ…傾斜面、１２３…支持位置昇降機構、１２４…穴、１２５…支持棒、１２６…ウォームギア機構、１２７…駆動モーター、１２８…シート、１２９…軸、１３０…供給部、１３１…繰り出しリール、１４０…収納部、１４１…巻き取りリール、１５０…制御部、２００…記録部、２１０…インク吐出ヘッド、２１１…ノズル、２２０…インク供給部、２５０…記録制御部、３００…統括制御部、３１０…タッチパネル。
【図１】
2020138419.tif 000003
【図２】
2020138419.tif 000004
【図３】
2020138419.tif 000005
【図４】
2020138419.tif 000006
【図５】
2020138419.tif 000007
【図６】
2020138419.tif 000008
【図７】
2020138419.tif 000009
【図８】
2020138419.tif 000010
【図９】
2020138419.tif 000011
【図１０】
2020138419.tif 000012
【図１１】
2020138419.tif 000013
【図１２】
2020138419.tif 000014